【事件の表示】
　特願２０１６−２２３１１３号「遊技機」拒絶査定不服審判事件〔平成３０年　５月２４日出願公開、特開２０１８−　７９０５７号〕について、次のとおり審決する。
【結　論】
　本件審判の請求は、成り立たない。
【理　由】
第１　手続の経緯　
　本願は、平成２８年１１月１６日の出願であって、平成３１年１月４日付けで拒絶の理由が通知され、同年２月２７日に意見書及び手続補正書が提出されたところ、令和１年７月１１日付け（謄本送達日：同年７月２３日）で拒絶査定（以下、「原査定」という。）がなされ、それに対して、同年１０月１日に拒絶査定不服審判の請求がなされると同時に手続補正がなされたものである。　
第２　令和１年１０月１日にされた手続補正（以下、「本件補正」という。）についての補正の却下の決定
［補正の却下の決定の結論］
　本件補正を却下する。
［理由］
１　本件補正について
　本件補正は、特許請求の範囲を補正する内容を含んでおり、本件補正により、補正前の請求項１及び請求項２が削除されることにより、請求項の数が４から２へと減少し、補正前の請求項３が請求項１に、補正前の請求項４が請求項２にそれぞれ繰り上がるとともに、それぞれにさらに限定を付したものである。
　本件補正により、特許請求の範囲の請求項４は、
　（補正前：平成３１年２月２７日付け手続補正書でした手続補正）
「【請求項４】
　始動条件の成立に基づき、識別情報が変動するゲームを実行可能な遊技機において、
　前記ゲームに対応する演出表示を表示可能な表示装置と、
　遊技者が操作可能な第１操作手段と、
　遊技者が操作可能であって、前記第１操作手段とは異なる他の操作手段と、
　発光可能な複数の発光手段と、
　所定の音を出力可能な複数の音出力手段と、を備え、
　前記複数の発光手段のうちの一の発光手段と前記第１操作手段の所定位置とを通る仮想的な第１直線又は第１平面と、前記複数の発光手段のうちの他の発光手段と前記第１操作手段とは異なる他の操作手段の所定位置とを通る仮想的な第２直線又は第２平面とにより仮想的に規制された第１仮想規制領域と、
　前記複数の音出力手段のうちの一の音出力手段と前記第１操作手段の所定位置とを通る仮想的な第３直線又は第３平面と、前記複数の音出力手段のうちの他の音出力手段と前記第１操作手段とは異なる他の操作手段の所定位置とを通る仮想的な第４直線又は第４平面とにより仮想的に規制された第２仮想規制領域と、が形成され、
　前記表示装置は、前記発光手段の光量調整に関連する画像と、前記音出力手段から出力される所定の音の音量調整に関連する画像と、を同時に表示可能であって、
　前記光量調整に関連する画像を前記第１仮想規制領域に対応する前記表示装置の表示領域内に表示するとともに、前記音量調整に関連する画像を前記第２仮想規制領域に対応する当該表示装置の表示領域内に表示することを特徴とする遊技機。」から、
　
　（補正後：令和１年１０月１日付け手続補正書でした手続補正）
「【請求項２】
Ａ　始動条件の成立に基づき、識別情報が変動するゲームを実行可能な遊技機において、
Ｂ１　前記ゲームに対応する演出表示を表示可能な表示装置と、
Ｃ１　遊技者が操作可能な第１操作手段と、
Ｃ２　遊技者が操作可能であって、前記第１操作手段とは異なる他の操作手段と、
Ｄ１　発光可能な複数の発光手段と、
Ｅ１　所定の音を出力可能な複数の音出力手段と、を備え、
Ｅ２　
前記複数の音出力手段は、当該遊技機の前面側の左右に配設され、
Ｄ２　
前記複数の発光手段は、当該遊技機の前面側の左右に配設され、
Ｃ３　
前記第１操作手段と前記他の操作手段は、当該遊技機の前面側に左右方向に配設され、
Ｆ１　前記複数の発光手段のうちの一の発光手段と前記第１操作手段の所定位置とを通る仮想的な第１直線又は第１平面と、前記複数の発光手段のうちの他の発光手段と前
記他
Ｆ２　前記複数の音出力手段のうちの一の音出力手段と前記第１操作手段の所定位置とを通る仮想的な第３直線又は第３平面と、前記複数の音出力手段のうちの他の音出力手段と前
記他
Ｂ２　前記表示装置は、前記発光手段の光量調整に関連する画像と、前記音出力手段から出力される所定の音の音量調整に関連する画像と、を同時に
、かつ左右方向に配設した態様で、当該表示装置の表示領域のうちの
と
が重複
る領
可能であ
Ａ　ことを特徴とする遊技機。」に補正された（下線は、補正箇所を明示するために当審で付した。また、符号Ａ−Ｆ２は、当審にて分説して付した。）。
２　補正の適否
（１）本件補正
　本件補正は、補正前の請求項４について、
　発明を特定するために必要な事項である「複数の音出力手段」について、「当該遊技機の前面側の左右に配設され」るものであるという限定を加え、
　同「複数の発光手段」について、「当該遊技機の前面側の左右に配設され」るものであるという限定を加え、
　同「第１操作手段」及び「他の操作手段」について、「当該遊技機の前面側に左右方向に配設され」るものであるという限定を加え、さらに、
　同「前記第１仮想規制領域に対応する前記表示装置の表示領域内に表示」される「光量調整に関連する画像」、及び、同「前記第２仮想規制領域に対応する当該表示装置の表示領域内に表示」される「前記音量調整に関連する画像」について、「左右方向に配設した態様で、当該表示装置の表示領域のうちの前記第１仮想規制領域と前記第２仮想規制領域が重複する領域内に表示可能」であるという限定を加えるものである。
（２）補正目的
　上記（１）の本件補正は、補正前の請求項４に係る発明の発明特定事項に限定を加えるものであって、補正後の請求項２に係る発明は、補正前の請求項４に係る発明と、産業上の利用分野及び解決しようとする課題が同一であるから、本件補正のうち特許請求の範囲の請求項２についてする補正は、特許法第１７条の２第５項第２号に規定する「特許請求の範囲の減縮」を目的とする補正に該当する。
（３）新規事項
　本件補正は、願書に最初に添付した明細書又は図面の【００１０】、【００１１】、【０１４９】、【０８１２】、図１、図１４９、図１８１、図１８５の記載からみて新規事項を追加するものではないから、特許法第１７条の２第３項に規定する要件を満たす。
３　本件補正発明の独立特許要件についての検討
　上記２（２）のとおり、本件補正のうち特許請求の範囲の請求項２についてする補正は、特許法第１７条の２第５項第２号に規定する「特許請求の範囲の減縮」を目的とする補正であるから、本件補正後の特許請求の範囲の請求項２に係る発明（以下、「本件補正発明」という。）が特許出願の際独立して特許を受けることができるものであるか（特許法第１７条の２第６項において準用する同法第１２６条第７項の規定に適合するか）について以下に検討する。
（１）本件補正発明
　本件補正発明は、本件補正により補正された、上記第２の１で補正後として示した特許請求の範囲の請求項２に記載されたとおりのものである。
（２）引用文献１に記載された発明
　原査定の拒絶理由において提示された、本願の出願前に電気通信回線を通じて公衆に利用可能となった特開２０１６−１７９１０５号公報（以下、「引用文献１」という。）には、図面と共に次の事項が記載されている（下線は当審にて付した。）。
ア　記載事項
　（ア）「【技術分野】
【０００１】
　本発明は、遊技機に関する。
・・・
【発明が解決しようとする課題】
・・・
【０００８】
　そこで、本発明は、実行中の演出における演出効果の低下を抑えることができる遊技機を提供することを目的とする。」
　（イ）「【００２５】
　
パチンコ遊技機１
ガラス扉枠２
【００２８】
　打球供給皿（
上皿
３を形成する部材
上皿本体の上面に
遊技者が押下操作などにより所定の指示操作を可能なプッシュボタン１２０が設けら
【００２９】
　
遊技領域７の中央付近に
液晶表示装置
で構成された演出表示装置９
設けられ
表示画面には、第１特別図柄または第２特別図柄の可変表示に同期した演出図柄の可変表示を行う演出図柄表示領域がある
　（ウ）「【００４５】
　
第１特別図柄または第２特別図柄の可変表示
可変表示の実行条件である第１始動条件または第２始動条件が成立
した後、可変表示の開始条件
が成立したことに基づいて開始され、可変表示時間
が経過すると表示結果
を導出表示する
　（エ）「【００５８】
　遊技盤６の下部には、入賞しなかった打球が取り込まれるアウト口２６がある。また、
遊技領域７の外側の左右上部
２７
遊技領域７の外周
前面枠に設けられた枠ＬＥＤ２８
　（オ）「【００６６】
　図２は、パチンコ遊技機の打球供給皿を上面からみた上面図である。上述のように打球供給皿（上皿）３を形成する部材には、例えば打球供給皿３本体の上面における手前側の所定位置（例えばスティックコントローラ１２２の上方）などに、遊技者が押下操作などにより所定の指示操作を可能なプッシュボタン１２０が設けられている。打球供給皿３には、借り受けた遊技球を貯留し、貯留する遊技球が打球供給皿３から流下する遊技球を一列に整列させて発射装置（図示せず）に遊技球を供給する。また、打球供給皿３本体の上面（例えば、側壁上面など）、例えばスティックコントローラ１２２の上方であって、打球供給皿３本体上面右側には、表示操作領域２００Ａが設けられている。
【００６７】
　
表示操作領域２００Ａには、遊技者が演出に応じて動作可能な十字方向コントローラ２０１
【００６８】
　十字方向コントローラ２０１は、略円環状に形成されている。十字方向コントローラ２０１は、略円環の上方向に対応する第１スイッチ２０１Ａと、該略円環中心の回転軸に対して上方向と対向する下方向に対応する第２スイッチ２０１Ｂと、該略円環の上下方向とは異なる該略円環の左方向に対応する第３スイッチ２０１Ｃと、該略円環中心の回転軸に対して左方向と対向する右方向に対応する第４スイッチ２０１Ｄとが一体となって構成される。ここで、上方向とは遊技者に対して遊技盤６側の方向のことであり、下方向とは遊技盤６に対して遊技者側の方向のことであり、左方向とは遊技者が遊技盤６を正面に見たときの左方向のことであり、右方向とは遊技者が遊技盤６を正面に見たときの右方向のことである。
【００６９】
　すなわち、十字方向コントローラ２０１は、第１方向（例えば上方向）に対応する第１スイッチ２０１Ａと、第１方向と対称に配置される第２方向（例えば下方向）に対応する第２スイッチ２０１Ｂと、第１方向、第２方向とは異なる第３方向（例えば左方向）に対応する第３スイッチ２０１Ｃと、第３方向とは対称に配置される第４方向（例えば右方向）に対応する第４スイッチ２０１Ｄとの４つのスイッチが一体となった形状で、かつ略円環状に構成されている。
【００７０】
　なお、十字方向コントローラ２０１が略円環状である場合について説明したが、この実施の形態は、これに限定されず、例えば、略十字状に形成されていてもよく、略十字の上端に対応する第１スイッチを配置し、略十字の下端に対応する第２スイッチを配置し、略十字の左端に対応する第３スイッチを配置し、略十字の右端に対応する第４スイッチを配置して、第１スイッチと、第２スイッチと、第３スイッチと、第４スイッチとが一体となった形状で略十字状に配置されていてもよい。また、十字方向コントローラ２０１がＸ字状に形成され、略Ｘ字の対応する端部にそれぞれの第１スイッチと、第２スイッチと、第３スイッチと、第４スイッチとが一体となった形状で、かつ略Ｘ字状に配置されていてもよいし、ある形状に対して４つのスイッチが対応する端部に対して配置されるものであってもよい。
【００７１】
　また、十字方向コントローラ２０１の下部における上皿上面の本体内部などには、十字方向に対する操作を検知する十字方向センサユニット１２３Ｂ（図５を参照）が設けられている。十字方向センサユニット１２３Ｂは、第１スイッチ、第２スイッチ、第３スイッチ、第４スイッチのそれぞれにおいて遊技者による各種スイッチ操作を、スイッチごとに検出可能に構成されている。
【００７２】
　十字方向コントローラ２０１は、演出制御用マイクロコンピュータ１００において実行される各種演出に対する遊技者の各種調整や操作などをするためのものである。」
　（カ）「【００９０】
　また、演出制御基板８０に搭載されている演出制御手段が、ランプドライバ基板３５を介して、枠側に設けられている枠ＬＥＤ２８の表示制御を行うとともに、音声出力基板７０を介して
スピーカ２７
　（キ）「【０２８９】
　この実施の形態では、後述するように、
遊技を開始するときの客待ちデモンストレーション表示中に遊技者の操作によりスピーカ２７の音量と枠ＬＥＤの輝度とを設定可能であ
・・・
【０３０８】
　また、
演出制御用ＣＰＵ１０１は、客待ちデモンストレーション表示を開始すると、演出表示装置９において、音量や輝度の設定
を行うための音量輝度設定画面の重畳表示
開始
【０３０９】
　客待ちデモンストレーション表示中である場合には（ステップＳ８１１ＡのＹ）、演出制御用ＣＰＵ１０１は、十字方向コントローラ２０１における遊技者の操作行為に応じた操作検出信号を十字方向センサユニット１２３Ｂが検出したか否かを確認する（ステップＳ８１１Ｇ）。そして、演出制御用ＣＰＵ１０１は、十字方向センサユニット１２３Ｂが操作検出信号を検出していれば、十字方向センサユニット１２３Ｂが検出した操作検出信号が、十字方向コントローラ２０１を構成する複数のスイッチのうち１つのスイッチに対応する操作検出信号のみであるか否かを確認する（ステップＳ８１１Ｈ）。
【０３１０】
　十字方向センサユニット１２３Ｂが検出した操作検出信号が１つのスイッチに対応する操作検出信号のみである場合には（ステップＳ８１１ＨのＹ）、演出制御用ＣＰＵ１０１は、遊技者の操作行為に応じた操作検出信号に従って音量及び輝度のいずれか一方または両方の設定値の入力を受け付ける（ステップＳ８１１Ｉ）。そして、演出制御用ＣＰＵ１０１は、受け付けた音量の設定値である音量設定値および輝度の設定値である輝度設定値を、ＲＡＭに設けられた設定値格納領域に格納し（ステップＳ８１１Ｊ）、変動パターンコマンド受信待ち処理を終了する。
【０３１１】
　また、十字方向コントローラ２０１における遊技者の操作行為に応じた操作検出信号を十字方向センサユニット１２３Ｂが検出していない場合（ステップＳ８１１ＧのＮ）、演出制御用ＣＰＵ１０１は、変動パターンコマンド受信待ち処理を終了する。【０３１２】　また、十字方向コントローラ２０１における遊技者の操作行為に応じた操作検出信号を十字方向センサユニット１２３Ｂが検出した場合であって、十字方向センサユニット１２３Ｂが検出した操作検出信号が、十字方向コントローラ２０１を構成する複数のスイッチのうち１つのスイッチに対応する操作検出信号のみでない場合、すなわち、複数のスイッチに対応する操作検出信号を十字方向センサユニット１２３Ｂが検出している場合（ステップＳ８１１ＨのＮ）、演出制御用ＣＰＵ１０１は、変動パターンコマンド受信待ち処理を終了する。
・・・
【０３１９】
　図３２は、音量輝度設定画面の具体例を示す説明図である。音量を調整する場合、図３２（Ａ）に示すように、この実施の形態では、例えば、「デモ表示中」など客待ちデモンストレーション表示中であることを示す表示とともに、「音量を設定してね！」などの表示を含む音量輝度設定画面が表示される。図３２（Ａ）に示す表示画面において、遊技者は、例えば、十字方向コントローラ２０１における第３スイッチ２０１Ｃまたは第４スイッチ２０１Ｄを操作することにより、音量を０〜１００の中から選択操作し、所望の音量になったところで第３スイッチ２０１Ｃまたは第４スイッチ２０１Ｄによる操作をやめると、その時の音量によって音量設定値の決定操作が可能である。この場合、演出制御用ＣＰＵ１０１は、十字方向コントローラ２０１における操作行為に応じた操作信号を十字方向センサユニット１２３Ｂが検出し、十字方向センサユニット１２３Ｂが検出した操作検出信号に基づいて音量を選択し、十字方向センサユニット１２３Ｂによって検出されていた操作検出信号が検出されなくなった時の音量に基づいて、選択中の音量を音量設定値として設定する。
【０３２０】
　また、輝度の調整する場合、例えば、図３２（Ｂ）に示すように、音量輝度設定画面が「輝度を設定してね！」などの表示を含む画面に切り換わる。図３２（Ｂ）に示す表示画面において、遊技者は、例えば、十字方向コントローラ２０１における第１スイッチ２０１Ａまたは第２スイッチ２０１Ｂを操作することにより、輝度を０〜１００の中から選択操作し、所望の輝度になったところで第１スイッチ２０１Ａまたはだ第２スイッチ２０２Ｂによる操作をやめると、その時の輝度によって輝度設定値の決定操作が可能である。この場合、演出制御用ＣＰＵ１０１は、十字方向コントローラ２０１における操作行為に応じた操作信号を十字方向センサユニット１２３Ｂが検出し、十字方向センサユニット１２３Ｂが検出した操作検出信号に基づいて輝度を選択し、十字方向センサユニット１２３Ｂによって検出されていた操作検出信号が検出されなくなった時の輝度に基づいて、選択中の輝度を輝度設定値として設定する。
【０３２１】
　なお、この実施の形態では、音量と輝度の一方について、客待ちデモンストレーション中に遊技者に調整可能であることを報知する場合の一例（図３２を参照）について説明したが、
同一の音量輝度設定画面において、音量と輝度との両方の調整可能であることを報知する報知演出を実行し
該報知された音量と輝度とのそれぞれの調整を同一の音量輝度設定画面において報知するように
イ　認定事項
　（ア）認定事項１
　図１において、遊技領域７の外側の前面枠の左上部の位置に設けられたスピーカ２７と、前面枠の右上部の位置に設けられたスピーカ２７と、を備えるとともに、遊技領域７の外側の前面枠の左上部の位置に設けられた枠ＬＥＤ２８と、前面枠の右上部の位置に設けられた枠ＬＥＤ２８と、を備えることが看取される。
　ここで、以後、「遊技領域７の外側の前面枠の左上部の位置に設けられたスピーカ２７」を、左上部スピーカ２７と、「遊技領域７の外側の前面枠の右上部の位置に設けられたスピーカ２７」を、右上部スピーカ２７と定義し、「遊技領域７の外側の前面枠の左上部の位置に設けられた枠ＬＥＤ２８」を、左上部枠ＬＥＤ２８と、「遊技領域７の外側の前面枠の右上部の位置に設けられた枠ＬＥＤ２８」を、右上部枠ＬＥＤ２８と定義する。
　引用文献１には、左上部スピーカ２７と、右上部スピーカ２７と、を備えるとともに、左上部枠ＬＥＤ２８と、右上部枠ＬＥＤ２８と、を備えることが記載されていると認められる。
　【図１】
「
」
　（イ）認定事項２
　パチンコ遊技機の打球供給皿（上皿）を上面からみた上面図である図２から、上皿の上面左右方向の中央部にプッシュボタン１２０が設けられ、上皿の上面右側に十字方向コントローラ２０１が設けられていること、すなわち、プッシュボタン１２０と十字方向コントローラ２０１は、上皿の上面の左右方向に並んで設けられていることが看取される。　
　また、【００２８】に、「打球供給皿（上皿）３を形成する部材には、例えば上皿本体の上面における手前側の所定位置（例えばスティックコントローラ１２２の上方）などに、遊技者が押下操作などにより所定の指示操作を可能なプッシュボタン１２０が設けられている。」と、【００６６】に、「図２は、パチンコ遊技機の打球供給皿を上面からみた上面図である。・・・また、打球供給皿３本体の上面（例えば、側壁上面など）、例えばスティックコントローラ１２２の上方であって、打球供給皿３本体上面右側には、表示操作領域２００Ａが設けられている。」と、【００６７】に、「表示操作領域２００Ａには、遊技者が演出に応じて動作可能な十字方向コントローラ２０１、貸与スイッチ２０３及び返却スイッチ２０４、残額表示装置２０５が配置されている。」と記載されていることから、図１から看取された「上皿」とは、「上皿本体」を指すと認められる。
　よって、引用文献１には、プッシュボタン１２０と十字方向コントローラ２０１は、上皿本体の上面の左右方向に並んで設けられていることが記載されていると認められる。
　【図２】
「
」
　（ウ）認定事項３
　ａ　引用文献１には、プッシュボタン１２０について、【００２８】に、「打球供給皿（上皿）３を形成する部材には、例えば上皿本体の上面における手前側の所定位置（例えばスティックコントローラ１２２の上方）などに、遊技者が押下操作などにより所定の指示操作を可能なプッシュボタン１２０が設けられている。」と記載され、
　十字方向コントローラ２０１について、【００６６】に、「また、打球供給皿３本体の上面（例えば、側壁上面など）、例えばスティックコントローラ１２２の上方であって、打球供給皿３本体上面右側には、表示操作領域２００Ａが設けられている。」、【００６７】に、「表示操作領域２００Ａには、遊技者が演出に応じて動作可能な十字方向コントローラ２０１・・・が配置されている。」、【００６８】に、「十字方向コントローラ２０１は、略円環状に形成されている。十字方向コントローラ２０１は、略円環の上方向に対応する第１スイッチ２０１Ａと、該略円環中心の回転軸に対して上方向と対向する下方向に対応する第２スイッチ２０１Ｂと、該略円環の上下方向とは異なる該略円環の左方向に対応する第３スイッチ２０１Ｃと、該略円環中心の回転軸に対して左方向と対向する右方向に対応する第４スイッチ２０１Ｄとが一体となって構成される。ここで、上方向とは遊技者に対して遊技盤６側の方向のことであり、下方向とは遊技盤６に対して遊技者側の方向のことであり、左方向とは遊技者が遊技盤６を正面に見たときの左方向のことであり、右方向とは遊技者が遊技盤６を正面に見たときの右方向のことである。」と記載され、
　【００２９】に、「遊技領域７の中央付近には、液晶表示装置（ＬＣＤ）で構成された演出表示装置９が設けられている。」と記載されている。
　ｂ　参考図１は、パチンコ遊技機１の前面視である図１において、次のとおり定義された仮想的な平面である第１の平面乃至第４の平面が設けられている位置を示した図面であって、遊技盤６と直交する各平面が、パチンコ遊技機１の遊技者側において、各平面とパチンコ遊技機１の表面とが交差する位置を示す線として、第１の平面から順に、符号「（１）」〜「（４）」を当審が付した。
　（ａ）第１の平面
　上記ａの記載及び図１から、左上部枠ＬＥＤ２８（パチンコ遊技機１の前面視である図１において、符号２８が示す部材の略中央部）と、
　上皿３の上面右側に設けられた表示操作領域２００Ａに配置された十字方向コントローラ２０１（同図２において、打球供給皿３本体の上面においてプッシュボタン１２０の右方に位置する略台形状の部位又はその近辺に十字方向コントローラ２０１が位置すると認められる。参考図１において、線（１）及び線（３）の交点となる箇所である。）と、を通る平面（以下、「第１の平面」という。）を、遊技盤６と直交するように仮想的に設けると、
　当該第１の平面は、遊技領域の左上方と右下方との間で、遊技領域７の中央付近に設けられた演出表示装置９の左下側に位置することが看取される。
　（ｂ）第２の平面
　上記ａの記載及び図１から、右上部枠ＬＥＤ２８（パチンコ遊技機１の前面視である図１において、符号２８が示す部材の略中央部）と、
　上皿３の上面に設けられたプッシュボタン１２０の略中央部（同図１において、プッシュボタン１２０の上面を形成する円弧状の部位の略中央部を指し、参考図１において、線（２）及び線（４）の交点となる箇所である。）と、を通る平面（以下、「第２の平面」という。）を、遊技盤６と直交するように仮想的に設けると、
　当該第２の平面は、遊技領域の右上方と左下方との間で、遊技領域７の中央付近に設けられた演出表示装置９の右下側に位置することが看取される。
　（ｃ）第３の平面
　上記ａの記載及び図１から、左上部スピーカ２７の略中央部（パチンコ遊技機１の前面視である図１において、符号２７が示す部材の略中央部）と、
　上皿３の上面右側に設けられた表示操作領域２００Ａに配置された十字方向コントローラ２０１（同図１において、打球供給皿３本体の上面においてプッシュボタン１２０の右方に位置する略台形状の部位又はその近辺に十字方向コントローラ２０１が位置すると認められる。参考図１において、線（１）及び線（３）の交点となる箇所である。）と、を通る平面（以下、「第３の平面」という。）を、遊技盤６と直交するように仮想的に設けると、
　当該第３の平面は、遊技領域の左上方と右下方との間で、遊技領域７の中央付近に設けられた演出表示装置９の左下側に位置することが看取される。
　（ｄ）第４の平面
　上記ａの記載及び図１から、右上部スピーカ２７の略中央部（パチンコ遊技機１の前面視である図１において、符号２７が示す部材の略中央部）と、
　上皿３の上面に設けられたプッシュボタン１２０（同図１において、プッシュボタン１２０の上面を形成する円弧状の部位の略中央部を指し、参考図１において、線（２）及び線（４）の交点となる箇所である。）と、を通る平面（以下、「第４の平面」という。）を、遊技盤６と直交するように仮想的に設けると、
　当該第４の平面は、遊技領域の右上方と左下方との間で、遊技領域７の中央付近に設けられた演出表示装置９の右下側に位置することが看取される。
　（ｅ）第１の平面と第２の平面により形成される領域
　上記（ａ）より、第１の平面は、遊技領域の左上方と右下方との間で、遊技領域７の中央付近に設けられた演出表示装置９の左下側に位置し、上記（ｂ）より、第２の平面は、遊技領域の右上方と左下方との間で、遊技領域７の中央付近に設けられた演出表示装置９の右下側に位置することを踏まえ、　図１から、第１の平面と第２の平面とは、遊技領域内で交差し、第１の平面の上面と第２の平面の上面とにより形成されるＶ字状の領域に、演出表示装置９が配置されていることが看取される。
　（ｆ）第３の平面と第４の平面により形成される領域
　上記（ｃ）より、第３の平面は、遊技領域の左上方と右下方との間で、遊技領域７の中央付近に設けられた演出表示装置９の左下側に位置し、上記（ｄ）より、第４の平面は、遊技領域の右上方と左下方との間で、遊技領域７の中央付近に設けられた演出表示装置９の右下側に位置することを踏まえ、　図１から、第３の平面と第４の平面とは、遊技領域内で交差し、第３の平面の上面と第４の平面の上面とにより形成されるＶ字状の領域に、演出表示装置９が配置されていることが看取される。
　【参考図１】
ウ　引用発明
　上記アの記載事項及び上記イの認定事項に基づき、引用文献１には次の発明（以下、「引用発明」という。）が記載されていると認められる（符号ａ−ｆ２は、本件補正発明の分説Ａ−Ｆ２におおむね対応させて、当審が付した。）。
　引用発明
「ａ　可変表示の実行条件である第１始動条件または第２始動条件が成立した後、可変表示の開始条件が成立したことに基づいて開始され、可変表示時間が経過すると表示結果を導出表示する第１特別図柄または第２特別図柄の可変表示を行うパチンコ遊技機１であって（【００２５】、【００４５】）、
ｂ１　遊技領域７の中央付近に設けられ、表示画面には、第１特別図柄または第２特別図柄の可変表示に同期した演出図柄の可変表示を行う演出図柄表示領域がある液晶表示装置で構成された演出表示装置９と（【００２９】）、
ｃ１　表示操作領域２００Ａには、遊技者が演出に応じて動作可能な十字方向コントローラ２０１と（【００６７】）、
ｃ２　遊技者が押下操作などにより所定の指示操作を可能なプッシュボタン１２０と（【００２８】）、
ｄ１、ｄ２　左上部枠ＬＥＤ２８と、右上部枠ＬＥＤ２８と（【００５８】、図１、認定事項１）、
ｅ１、ｅ２　左上部スピーカ２７と、右上部スピーカ２７と、を備え（【００５８】、【００９０】、図１、認定事項１）、
ｃ３　上皿本体の上面中央部に設けられた前記プッシュボタン１２０と、上皿本体の上面右側に設けられた前記十字方向コントローラ２０１は、上皿本体の上面の左右方向に並んで設けられ（【００２８】、【００６６】、【００６７】、認定事項２、図２）、
ｆ１、ｂ２　左上部枠ＬＥＤ２８の略中央部と、上皿３の上面右側に設けられた表示操作領域２００Ａに配置された十字方向コントローラ２０１とを通る平面（以下、「第１の平面」という。）を、遊技盤６と直交するように仮想的に設けると、当該第１の平面は、遊技領域の左上方と右下方との間で、遊技領域７の中央付近に設けられた演出表示装置９の左下側に位置し（認定事項３（ａ））、
　右上部枠ＬＥＤ２８の略中央部と、上皿３の上面に設けられたプッシュボタン１２０の略中央部とを通る平面（以下、「第２の平面」という。）で、遊技盤６と直交するように仮想的に設けると、当該第２の平面は、遊技領域の右上方と左下方との間を、遊技領域７の中央付近に設けられた演出表示装置９の右下側に位置し（認定事項３（ｂ））、
　第１の平面と第２の平面とは、遊技領域内で交差し、第１の平面の上面と第２の平面の上面とにより形成されるＶ字状の領域に、演出表示装置９が配置され（認定事項３（ｅ））、
ｆ２、ｂ２　左上部スピーカ２７の略中央部と、上皿３の上面右側に設けられた表示操作領域２００Ａに配置された十字方向コントローラ２０１とを通る平面（以下、「第３の平面」という。）を、遊技盤６と直交するように仮想的に設けると、当該第３の平面は、遊技領域の左上方と右下方との間で、遊技領域７の中央付近に設けられた演出表示装置９の左下側に位置し（認定事項３（ｃ））、
　右上部スピーカ２７の略中央部と、上皿３の上面に設けられたプッシュボタン１２０の略中央部とを通る平面（以下、「第４の平面」という。）で、遊技盤６と直交するように仮想的に設けると、当該第４の平面は、遊技領域の右上方と左下方との間を、遊技領域７の中央付近に設けられた演出表示装置９の右下側に位置し（認定事項３（ｄ））、
　第３の平面と第４の平面とは、遊技領域内で交差し、第３の平面の上面と第４の平面の上面とにより形成されるＶ字状の領域に、演出表示装置９が配置され（認定事項３（ｆ））、
ｂ２　遊技を開始するときの客待ちデモンストレーション表示中に遊技者の操作によりスピーカ２７の音量と枠ＬＥＤの輝度とを設定可能であり、演出制御用ＣＰＵ１０１は、客待ちデモンストレーション表示を開始すると、演出表示装置９において、音量や輝度の設定を行うための音量輝度設定画面の重畳表示を開始し、同一の音量輝度設定画面において、音量と輝度との両方の調整可能であることを報知する報知演出を実行し、該報知された音量と輝度とのそれぞれの調整を同一の音量輝度設定画面において報知するようにする（【０２８９】、【０３０８】、【０３２１】）、
ａ　パチンコ遊技機１（【００２５】）。」
（３）対比
　本件補正発明と引用発明とを、分説に従って対比する。
ア　構成Ａについて
　引用発明の「可変表示の実行条件である第１始動条件または第２始動条件が成立した後、可変表示の開始条件が成立したこと」は、本件補正発明の「始動条件の成立」に相当し、同様に、「基づいて開始され」ることは、「基づ」くことに、「第１特別図柄または第２特別図柄」は、「識別情報」に、「可変表示時間が経過すると表示結果を導出表示する」「可変表示」は、「変動するゲーム」に、「行う」ことは、「実行可能」であることに、「パチンコ遊技機１」は、「遊技機」にそれぞれ相当する。
　よって、引用発明の構成ａは、本件補正発明の構成Ａに相当する。
イ　構成Ｂ１について
　上記アより、引用発明の「第１特別図柄または第２特別図柄」が「可変表示時間が経過すると表示結果を導出表示する」「可変表示」は、本件補正発明の「変動するゲーム」に相当することに加え、引用発明の「演出図柄の可変表示」は、本件補正発明の「演出表示」に相当するから、
　引用発明の「第１特別図柄または第２特別図柄の可変表示」（本件補正発明の「前記ゲーム」に相当。）「に同期した演出図柄の可変表示を行う」「演出表示装置９」は、本件補正発明の「前記ゲームに対応する演出表示を表示可能な表示装置」に相当する。
　よって、引用発明の構成ｂ１は、本件補正発明の構成Ｂ１に相当する。
ウ　構成Ｃ１について
　引用発明の
「遊技者」、
「演出に応じて動作可能」であること、
「十字方向コントローラ２０１」は、それぞれ、
　本件補正発明の
「遊技者」、
「操作可能」であること、
「第１操作手段」に相当する。
　よって、引用発明の構成ｃ１は、本件補正発明の構成Ｃ１に相当する。
エ　構成Ｃ２について
　引用発明の「プッシュボタン１２０」と「十字方向コントローラ２０１」とは、異なる操作手段であることは明らかである。
引用発明の
「遊技者」、
「押下操作などにより所定の指示操作を可能」であること、
「プッシュボタン１２０」は、それぞれ、
　本件補正発明の
「遊技者」、
「操作可能」であること、
「前記第１操作手段とは異なる他の操作手段」に相当する。
　よって、引用発明の構成ｃ２は、本件補正発明の構成Ｃ２に相当する。
オ　構成Ｄ１、Ｄ２について
　引用発明の「左上部枠ＬＥＤ２８」と「右上部枠ＬＥＤ２８」は、本件補正発明の「発光可能な複数の発光手段」に相当する。
　そして、引用発明において、「左上部枠ＬＥＤ２８」が、上記（２）イ（ア）の定義から、[Wユ2]「遊技領域７の外側の前面枠の左上部の位置に設けられたＬＥＤ２８」を表すこと、及び、「右上部枠ＬＥＤ２８」が、同定義から、「遊技領域７の外側の前面枠の右上部の位置に設けられたＬＥＤ２８」を表すことに鑑みると、引用発明が、「左上部枠ＬＥＤ２８と、右上部枠ＬＥＤ２８と」「を備え」ることは、本件補正発明の「前記複数の発光手段は、当該遊技機の前面側の左右に配設され」ていることに相当する。
　よって、引用発明の構成ｄ１、ｄ２は、本件補正発明の構成Ｄ１及び構成Ｄ２に相当する。
カ　構成Ｅ１、Ｅ２について
　引用発明の「左上部スピーカ２７」と「右上部スピーカ２７」は、本件補正発明の「所定の音を出力可能な複数の音出力手段」に相当する。
　そして、引用発明において、「左上部スピーカ２７」が、上記（２）イ（ア）の定義から、[Wユ3]「遊技領域７の外側の前面枠の左上部の位置に設けられたスピーカ２７」を表すこと、及び、「右上部スピーカ２７」が「遊技領域７の外側の前面枠の右上部の位置に設けられたスピーカ２７」を表すことに鑑みると、引用発明が、「左上部スピーカ２７と、右上部スピーカ２７と、を備え」ることは、本件補正発明の「前記複数の音出力手段は、当該遊技機の前面側の左右に配設され」ていることに相当する。
　よって、引用発明の構成ｅ１、ｅ２は、本件補正発明の構成Ｅ１及び構成Ｅ２に相当する。
キ　構成Ｃ３について
　上記ウより、引用発明の「十字方向コントローラ２０１」は、本件補正発明の「第１操作手段」に相当し、上記エより、引用発明の「プッシュボタン１２０」は、本件補正発明の「他の操作手段」に相当することに加え、
　引用発明において、「十字方向コントローラ２０１」と「プッシュボタン１２０」が、「上皿本体の上面の左右方向に設けられ」ていることは、本件補正発明の「前記第１操作手段と前記他の操作手段は、当該遊技機の前面側に左右方向に配設され」ていることに相当する。
　よって、引用発明の構成ｃ３は、本件補正発明の構成Ｃ３に相当する。
ク　構成Ｆ１について
　（ア）上記オより、引用発明の「左上部枠ＬＥＤ２８」と「右上部枠ＬＥＤ２８」は、本件補正発明の「発光可能な複数の発光手段」に相当することから、引用発明の「右上部枠ＬＥＤ２８」は、本件補正発明の「一の発光手段」に相当し、引用発明の「左上部枠ＬＥＤ２８」は、本件補正発明の「他の発光手段」に相当し、上記ウより、引用発明の「十字方向コントローラ２０１」は、本件補正発明の「第１操作手段」に相当し、上記エより、引用発明の「プッシュボタン１２０」は、本件補正発明の「他の操作手段」に相当する。
　（イ）そのうえで、引用発明の「遊技盤６と直交するように仮想的に設け」られた「右上部枠ＬＥＤ２８と」「十字方向コントローラ２０１とを通る」「第１の平面」は、本件補正発明の「前記複数の発光手段のうちの一の発光手段と前記第１操作手段の所定位置とを通る仮想的な」「第１平面」に相当し、
　また、引用発明の「遊技盤６と直交するように仮想的に設け」られた「左上部枠ＬＥＤ２８と」「プッシュボタン１２０とを通る」「第２の平面」は、本件補正発明の「前記複数の発光手段のうちの他の発光手段と前記他の操作手段の所定位置とを通る仮想的な第２平面」に相当する。
　そして、引用発明の「演出表示装置９が配置され」る「第１の平面の上面と第２の平面の上面とにより形成されるＶ字状の領域」は、本件補正発明の「第１平面と」「第２平面とにより」「仮想的に規制された第１仮想規制領域」に相当する。
　（ウ）よって、引用発明の構成ｆ１、ｂ２と本件補正発明の構成Ｆ１とは、「前記複数の発光手段のうちの一の発光手段と前記第１操作手段の所定位置とを通る仮想的な第１平面と、前記複数の発光手段のうちの他の発光手段と前記他の操作手段の所定位置とを通る仮想的な第２平面とにより仮想的に規制された第１仮想規制領域と、」が形成される点で一致し、引用発明の構成ｆ１、ｂ２は、本件補正発明の構成Ｆ１に相当する構成を含んでいる。
ケ　構成Ｆ２について
　（ア）上記カより、引用発明の「左上部スピーカ２７」と「右上部スピーカ２７」は、本件補正発明の「複数の音出力手段」に相当することから、引用発明の「右上部スピーカ２７」は、本件補正発明の「一の音出力手段」に相当し、引用発明の「左上部スピーカ２７」は、本件補正発明の「他の音出力手段」に相当し、上記ウより、引用発明の「十字方向コントローラ２０１」は、本件補正発明の「第１操作手段」に相当し、上記エより、引用発明の「プッシュボタン１２０」は、本件補正発明の「他の操作手段」に相当する。
　（イ）そのうえで、引用発明の「遊技盤６と直交するように仮想的に設け」られた「右上部スピーカ２７と」「十字方向コントローラ２０１とを通る」「第３の平面」は、本件補正発明の「前記複数の音出力手段のうちの一の音出力手段と前記第１操作手段の所定位置とを通る仮想的な」「第３平面」に相当し、
　また、引用発明の「遊技盤６と直交するように仮想的に設け」られた「右上部スピーカ２７と」「プッシュボタン１２０とを通る」「第４の平面」は、本件補正発明の「前記複数の音出力手段のうちの他の音出力手段と前記他の操作手段の所定位置とを通る仮想的な」「第４平面」に相当する。
　そして、引用発明の「演出表示装置９が配置され」る「第３の平面の上面と第４の平面の上面とにより形成されるＶ字状の領域」は、本件補正発明の「第３平面と」「第４平面とにより」「仮想的に規制された第２仮想規制領域」に相当する。
　（ウ）よって、引用発明の構成ｆ２、ｂ２と本件補正発明の構成Ｆ２とは、「前記複数の音出力手段のうちの一の音出力手段と前記第１操作手段の所定位置とを通る仮想的な第３平面と、前記複数の音出力手段のうちの他の音出力手段と前記他の操作手段の所定位置とを通る仮想的な第４平面とにより仮想的に規制された第２仮想規制領域と、が形成される」点で一致し、引用発明の構成ｆ２、ｂ２は、本件補正発明の構成Ｆ２に相当する構成を含んでいる。
コ　構成Ｂ２について
　（ア）上記イより、「演出図柄の可変表示」を行う引用発明の構成ｂ１の「演出表示装置９」は、本件補正発明の「表示装置」に相当し、引用発明の構成ｂ２においては、「同一の音量輝度設定画面において、音量と輝度との両方の調整可能であることを報知する報知演出を実行し、該報知された音量と輝度とのそれぞれの調整を同一の音量輝度設定画面において報知する」ことも行われるから、引用発明の「調整可能であること」が「報知された」「輝度」の「調整を」「報知する」「音量輝度設定画面」は、本件補正発明の「発光手段の光量調整に関連する画像」に相当し、引用発明の「調整可能であること」が「報知された音量」の「調整を」「報知する」「音量輝度設定画面」は、本件補正発明の「前記音出力手段から出力される所定の音の音量調整に関連する画像」に相当し、また、引用発明の当該「演出表示装置９」が、「輝度」又は「光量」「の調整を」「音量輝度設定画面」で「報知する」ことは、本件補正発明の「表示装置は、前記発光手段の光量調整に関連する画像」又は「音量調整に関連する画像」を「表示可能である」ことに相当する。
　（イ）上記ク（イ）より、引用発明の「演出表示装置９が配置され」る「第１の平面の上面と第２の平面の上面とにより形成されるＶ字状の領域」は、本件補正発明の「仮想的に規制された第１仮想規制領域」に相当するとともに、上記ケ（イ）より、引用発明の「演出表示装置９が配置され」る「第３の平面の上面と第４の平面の上面とにより形成されるＶ字状の領域」は、本件補正発明の「仮想的に規制された第２仮想規制領域」に相当することを踏まえると、
　引用発明において、「演出表示装置９」に表示される「音量輝度設定画面」が、「第１の平面の上面と第２の平面の上面とにより形成されるＶ字状の領域」（本件補正発明の「仮想的に規制された第１仮想規制領域」に相当。）、及び、「第３の平面の上面と第４の平面の上面とにより形成されるＶ字状の領域」（本件補正発明の「仮想的に規制された第２仮想規制領域」に相当。）のいずれの領域にも含まれることは、本件補正発明の「前記発光手段の光量調整に関連する画像と、前記音出力手段から出力される所定の音の音量調整に関連する画像とを、当該表示装置の表示領域のうちの前記第１仮想規制領域と前記第２仮想規制領域が重複する領域内に表示可能である」ことに相当する。
　（ウ）よって、引用発明の構成ｆ１、ｂ２、構成ｆ２、ｂ２、構成ｂ２と本件補正発明とは、前記表示装置は、前記発光手段の光量調整に関連する画像と、前記音出力手段から出力される所定の音の音量調整に関連する画像とを、当該表示装置の表示領域のうちの前記第１仮想規制領域と前記第２仮想規制領域が重複する領域内に表示可能である点で共通する。
（４）一致点及び相違点
　上記（３）によれば、本件補正発明と引用発明は、
「Ａ　始動条件の成立に基づき、識別情報が変動するゲームを実行可能な遊技機において、
Ｂ１　前記ゲームに対応する演出表示を表示可能な表示装置と、
Ｃ１　遊技者が操作可能な第１操作手段と、
Ｃ２　遊技者が操作可能であって、前記第１操作手段とは異なる他の操作手段と、
Ｄ１　発光可能な複数の発光手段と、
Ｅ１　所定の音を出力可能な複数の音出力手段と、を備え、
Ｅ２　前記複数の音出力手段は、当該遊技機の前面側の左右に配設され、
Ｄ２　前記複数の発光手段は、当該遊技機の前面側の左右に配設され、
Ｃ３　前記第１操作手段と前記他の操作手段は、当該遊技機の前面側に左右方向に配設され、
Ｆ１　前記複数の発光手段のうちの一の発光手段と前記第１操作手段の所定位置とを通る仮想的な第１平面と、前記複数の発光手段のうちの他の発光手段と前記他の操作手段の所定位置とを通る仮想的な第２平面とにより仮想的に規制された第１仮想規制領域と、
Ｆ２　前記複数の音出力手段のうちの一の音出力手段と前記第１操作手段の所定位置とを通る仮想的な第３平面と、前記複数の音出力手段のうちの他の音出力手段と前記他の操作手段の所定位置とを通る仮想的な第４平面とにより仮想的に規制された第２仮想規制領域と、が形成され、
Ｂ２’　前記表示装置は、前記発光手段の光量調整に関連する画像と、前記音出力手段から出力される所定の音の音量調整に関連する画像とを、当該表示装置の表示領域のうちの前記第１仮想規制領域と前記第２仮想規制領域が重複する領域内に表示可能である
Ａ　遊技機。」　
　の点で一致し、次の点で相違する。
　［相違点（構成Ｂ２）］
　表示装置の表示領域における発光手段の光量調整に関連する画像と、音出力手段から出力される所定の音の音量調整に関連する画像との表示について、本件補正発明は、両画像を、「同時に、かつ左右方向に配設した態様で」表示領域「のうちの前記第１仮想規制領域と前記第２仮想規制領域が重複する領域内」に表示可能とするのに対し、引用発明では、両画像を同時に、両領域が重複する領域内に表示可能とする構成でない点。
（５）当審の判断
　上記［相違点（構成Ｂ２）］について検討する。
ア　パチンコ遊技機の分野において、光量調整に関連する画像と、音量調整に関連する画像との表示とを、同時に、かつ左右方向に配設した態様で、表示装置の表示領域に表示可能とする技術（以下、「周知技術」という。）は、従来周知の技術であって、例えば、特開２０１６−８７３３７号公報、特開２０１５−１１９９０５号公報に示されるとおりである。
　そして、引用発明と上記周知技術は、遊技者が音量と輝度を調整可能なパチンコ遊技機という同じ技術分野に属し、かつ、表示装置において、音量の調整状況と輝度の調整状況を視認可能とするという課題も共通する。
上記（３）コ（イ）で検討したとおり、引用発明において、「演出表示装置９」に表示される「音量輝度設定画面」が、「第１の平面の上面と第２の平面の上面とにより形成されるＶ字状の領域」（本件補正発明の「仮想的に規制された第１仮想規制領域」に相当。）、及び、「第３の平面の上面と第４の平面の上面とにより形成されるＶ字状の領域」（本件補正発明の「仮想的に規制された第２仮想規制領域」に相当。）のいずれの領域にも含まれることは、本件補正発明の「前記発光手段の光量調整に関連する画像と、前記音出力手段から出力される所定の音の音量調整に関連する画像とを、当該表示装置の表示領域のうちの前記第１仮想規制領域と前記第２仮想規制領域が重複する領域内に表示可能である」ことに相当するから、引用発明の演出表示装置９に表示された音量輝度設定画面に、表示可能と光量調整に関連する画像と、音量調整に関連する画像とを、同時に、かつ左右方向に配設した態様で、表示装置の表示領域に表示可能とする上記周知技術を採用することにより、上記相違点に係る本件補正発明の構成とすることは、当業者が想到容易である。
イ　上記周知技術の例
　・特開２０１６−８７３３７号公報には、パチンコ機の分野において、演出環境として、各種スピーカ２８ａ，２８ｂの音量と、演出表示装置３４の画面（バックライト）や枠ランプ９３ａ，９３ｂの輝度とを遊技者が設定可能となっており、非遊技中に演出表示装置３４に演出環境設定画像が表示されると、遊技者は、十字ボタン２６ｂの上下方向ボタンを操作してカーソルを移動させて値１〜値５の５段階のいずれかに「音量」を設定し、十字ボタン２６ｂの左右方向ボタンを操作してカーソルを移動させて値１〜値５の５段階のいずれかに「輝度」を設定して、決定ボタン２６ａを押下することにより設定した演出環境（「音量」と「輝度」）を決定することができ、設定された「音量」の段階及び設定された「輝度」の段階を、同時に、かつ左右方向に並べて表示する技術、が示されている（【０００１】、【００３７】、【００６７】、図２４を参照。）。
　また、上記文献の図２４は、次のとおりである。
　【図２４】
「
」
　・特開２０１５−１１９９０５号公報には、パチンコ機の分野において、演出環境として、各種スピーカ２８ａ，２８ｂの音量と、演出表示装置３４の演出画面（バックライト）や枠ランプ９３ａ，９３ｂの輝度とを遊技者が設定可能となっており、演出環境（音量と輝度）を基準設定（遊技機に予め定められた初期設定）を中心に上下（音量であれば大小、輝度であれば明暗）に３段階ずつ、計７段階に設定可能となっていて、
　演出環境設定用画面が表示されると、遊技者は、まず、方向ボタン２６ａ，２６ｂを操作してカーソル３４ａを移動させて「音量」か「輝度」か「決定」のいずれかを選択し、「音量」か「輝度」のいずれかを選択した状態で演出ボタン２６を押下することにより設定対象を決定したり、「決定」を選択した状態で演出ボタン２６を押下することにより設定した演出環境を決定したりして、「音量」を設定対象に決定すると、方向ボタン２６ａ，２６ｂを操作して７段階の音量のいずれかを選択し、演出ボタン２６を押下することにより所望の「音量」を設定し、また、「輝度」を選択対象に決定した場合には、方向ボタン２６ａ，２６ｂを操作しての７段階の輝度のいずれかを選択し、演出ボタン２６を押下することにより所望の「輝度」を設定し、「決定」を選択して演出ボタン２６を押下すると設定した演出環境が決定されるものであって、現在の「音量」と「輝度」の設定状態を、同時に、かつ左右方向に並べて表示する技術、が示されている（【０００１】、【００３９】、【００７３】、図２５を参照。）。
　また、上記文献の図２５は、次のとおりである。
　【図２５】
「
」
（６）効果について
　本件補正発明の効果は、引用発明及び周知技術から予測し得るものであって格別顕著なものということはできない。
（７）請求人の主張について
ア　請求人は、審判請求書において、特に、次の主張をするところである。
　（ア）主張１
　「本願発明は、第１仮想規制領域や第２仮想規制領域という仮想的な領域を考慮するという従来にない観点からの画像配置を特徴とするものであり、上述したようにこのような特徴は本願の出願以前に存在していたものではなく、このような構成を想到したこと自体が従来技術に対する大きな進歩となります。
・・・
　したがって、光量調整画像や音量調整画像といった遊技に関する重要度の高い情報が視認し易く、遊技の興趣が向上します。また、遊技者が光量調整画像及び音量調整画像を視認し易いことから、遊技中等に光量調整及び音量調整を行い易くすることができます。」
　（イ）主張２
　「さらに、本願発明では、光量調整画像と音量調整画像が左右方向に配置されるとともに、第１操作手段と他の操作手段が左右方向に配置されています。すなわち、光量調整画像と音量調整画像の配置方向と、第１操作手段と他の操作手段の配置方向とが揃っています。したがって、例えば、他の操作手段を用いて光量や音量を増減した後に第１操作手段を用いて光量や音量を決定するといった一連の操作によって光量調整や音量調整を行う場合に、操作を分かり易くすることができます。」
イ　当審の判断
　（ア）主張１について
　ａ　請求人は、上記のとおり、「本願発明は、第１仮想規制領域や第２仮想規制領域という仮想的な領域を考慮するという従来にない観点からの画像配置を特徴とする」と主張する。
　本件補正発明において、第１仮想規制領域や第２仮想規制領域という仮想的な領域を用いた発明の特定は、具体的には、構成Ｆ１及び構成Ｆ２並びに構成Ｂ２の一部（「前記表示装置は、前記発光手段の光量調整に関連する画像と、前記音出力手段から出力される所定の音の音量調整に関連する画像と、を」「当該表示装置の表示領域のうちの前記第１仮想規制領域と前記第２仮想規制領域が重複する領域内に表示可能である」こと）が該当すると認められるところ、これらの構成については、上記　「（３）対比　ク〜コ」に判断を示したとおり、引用発明が備える構成である。
　ｂ　さらにいえば、本願の「一の発光手段」、「他の発光手段」、「一の音出力手段」、「他の音出力手段」、「所定位置」の認定の仕方次第で、第１〜４直線は色々規定できるものと認められる（本願の図１に対し直線を追加した次の図面（以下、「参考図２」という。）を参照）。
　参考図２をみると、引用発明の「演出表示装置９」のみならず、演出表示装置９の周囲に位置する、いわゆるセンター役物の大部分まで、「前記第１仮想規制領域と前記第２仮想規制領域が重複する領域内に」含まれることとなる。
　さらには、本件補正発明において、「第２仮想規制領域」を特定する事項である「音出力手段」に相当するものとして、審決では、引用発明の「左上部スピーカ２７」及び「右上部スピーカ２７」が相当すると認定したが（　「（３）対比　カ」）、引用文献１に記載された「打球操作ハンドル（操作ノブ）５」の少し上側に設けられ、遊技領域の下方に位置する左右一対の「スピーカ２７」（図１参照）であれば、「第２仮想規制領域」により規制される領域には、遊技領域のすべての領域が含まれ、その結果、センター役物の全部が、「前記第１仮想規制領域と前記第２仮想規制領域が重複する領域内に」含まれることとなる。
　これらを考慮すると、引用文献１に記載されたものにおいて、演出表示装置９の任意の箇所に音量輝度設定画面を表示しても、本件補正発明の「前記第１仮想規制領域と前記第２仮想規制領域が重複する領域内に」含まれることとなる。
　【参考図２】
　ｃ　そして、本件補正発明の「第１仮想規制領域」を特定する事項である「発光手段」に対応する実施例である「枠装飾装置１８」は、遊技領域の左右両側に配置され、図１から、遊技領域の高さ方向の大部分を占める程度の高さであることが看て取れるところ、たとえば、仮想的な平面として、左右の「枠装飾装置１８」（本件補正発明の「発光手段」に対応。）の最も下方を通る平面を想定すれば、「第１仮想規制領域」により規制される領域には、遊技領域の大部分を占めるものも、本件補正発明に含まれることとなる。
　また、「第２仮想規制領域」を特定する事項である「音出力手段」に対応する実施例としては、「１９ａ　上スピーカ（音出力手段）」のみならず、「１９ｂ　下スピーカ（音出力手段）」（本件補正発明の「音出力手段」に対応。）も排除されるものではないところ、たとえば、仮想的な平面として、左右の「１９ｂ　下スピーカ（音出力手段）」を通る平面を想定すれば、「第２仮想規制領域」により規制される領域には、遊技領域のほぼ全域を占めるものも、本件補正発明に含まれることとなる。
　そうすると、本件補正発明において、第１仮想規制領域や第２仮想規制領域という仮想的な領域を用いて発明を特定することにより、格別の作用効果を奏するものとは認められない。
　ｄ　よって、請求人が主張する主張１を採用することはできない。
　（イ）主張２について
　ａ　請求人が主張する構成のうち、光量調整画像と音量調整画像が左右方向に配置されるという構成は、周知技術であって、引用発明に適用可能であることは、上記「（５）当審の判断」で示したとおりである。
　ｂ　また、請求人が主張する構成のうち、第１操作手段と他の操作手段が左右方向に配置されているという構成は、上記　「（３）対比　ク〜コ」に判断を示したとおり、引用発明が備える構成である。
　ｃ　さらに、請求人は、「例えば、他の操作手段を用いて光量や音量を増減した後に第１操作手段を用いて光量や音量を決定するといった一連の操作によって光量調整や音量調整を行う場合に、操作を分かり易くすることができます。」と作用効果を主張するが、本件補正発明において、「第１操作手段」と「他の操作手段」が、音量調整又は光量調整を行うための操作手段であることは特定されておらず、作用効果について請求人が主張する点は、特許請求の範囲の記載に基づくものではない。
　仮に、請求人が主張するように、「第１操作手段」と「他の操作手段」が、音量調整又は光量調整を行うための操作手段であるとしても、パチンコ遊技機の分野において、光量や音量を増減するための増減操作手段と、当該増減操作手段を用いて光量や音量を決定するための決定操作手段とを、遊技機の前面側に左右方向に配設することも従来周知であって、例えば、上記「（５）イ　上記周知技術の例」に示した特開２０１６−８７３３７号公報（【０００１】、【００２０】、【００３６】、【００６７】、図１参照。）、特開２０１５−１１９９０５号公報（【０００１】、【００２４】、【００３８】、【００７３】、図１を参照。）にも示されるとおりであり、引用発明及び周知技術から予測し得る作用効果である。
　ｄ　よって、請求人が主張する主張２を採用することはできない。
（８）小括
　したがって、本件補正発明は、引用発明及び周知技術に基いて当業者が容易に発明をすることができたものであるから、特許法第２９条第２項の規定により、特許出願の際独立して特許を受けることができない。
４　むすび
　上記３において検討したことからみて、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
１　本願発明
　本件補正は、上記のとおり却下されたので、本願の請求項４に係る発明（以下、「本願発明」という。）は、平成３１年２月２７日付け手続補正書により補正された、上記第２の１で示した特許請求の範囲の請求項４に記載されたとおりのものである。
２　原査定の拒絶の理由
　原査定の拒絶の理由は、概略、次の理由を含んでいる。
（進歩性）この出願の請求項４に係る発明は、その出願前に日本国内又は外国において頒布され、又は、電気通信回線を通じて公衆に利用可能となった次の引用文献１に記載された発明に基いて、その出願前にその発明の属する技術の分野における通常の知識を有する者が容易に発明をすることができたものであるから、特許法第２９条第２項の規定により特許を受けることができない。
＜引用文献＞
　　１. 特開２０１６−１７９１０５号公報
３　引用文献１に記載の事項
　原査定の拒絶の理由に引用された引用文献１の記載事項は、上記第２の３（２）に記載したとおりである。
４　対比・判断
　本願発明は、上記「第２の２（１）本件補正」において検討したとおり、本件補正発明において、
　発明を特定するために必要な事項である「複数の音出力手段」について、「当該遊技機の前面側の左右に配設され」るものであるという限定を省き、
　同「複数の発光手段」について、「当該遊技機の前面側の左右に配設され」るものであるという限定を省き、
　同「第１操作手段」及び「他の操作手段」について、「当該遊技機の前面側に左右方向に配設され」るものであるという限定を省き、さらに、
　同「前記第１仮想規制領域に対応する前記表示装置の表示領域内に表示」される「光量調整に関連する画像」、及び、同「前記第２仮想規制領域に対応する当該表示装置の表示領域内に表示」される「前記音量調整に関連する画像」について、「左右方向に配設した態様で、当該表示装置の表示領域のうちの前記第１仮想規制領域と前記第２仮想規制領域が重複する領域内に表示可能」なものであるという限定を省くものである。
　そうすると、本願発明と引用発明とは、上記の限定を省いたことにより、表示装置における発光手段の光量調整に関連する画像と、音出力手段から出力される所定の音の音量調整に関連する画像との表示態様について、本願発明は、両画像を「同時に」表示可能であるのに対し、引用発明では、両画像を同時に表示可能でない点で相違し、その余の点で一致する。
　そうしてみると、本願発明の発明特定事項を全て含み、さらに表示装置における発光手段の光量調整に関連する画像と、音出力手段から出力される所定の音の音量調整に関連する画像との表示態様について、より限定されたものである本件補正発明が、上記「第２の３（５）当審の判断」において記載したとおり、引用発明及び周知技術に基いて、当業者が容易に発明をすることができたものであるから、本願発明も、引用発明及び周知技術に基いて、当業者が容易に発明をすることができたものである。
５　むすび
　以上のとおり、本願発明は、引用発明及び周知技術に基いて当業者が容易に発明をすることができたものであるから、特許法第２９条第２項の規定により特許を受けることができないので、他の請求項に係る発明について検討するまでもなく、本願は拒絶されるべきものである。
　よって、結論のとおり審決する。